(57)【要約】【課題】板状やブロック状の発泡樹脂ワークを、高い寸法精度で簡単に切断できる切断装置を提供する。【解決手段】切断装置３は、発泡樹脂ワーク１の上面に載るフレーム構造体４を備えている。フレーム構造体４は、下フレーム５と左右の縦フレーム６と上フレーム７とを有しており、左右縦フレーム６の下端間に熱線１０が張られている。発泡樹脂ワーク１に載せた状態の切断装置３を、発泡樹脂ワーク１の一端から他端に向けて移動させると、熱線１０によって発泡樹脂ワーク１が切断される。下フレーム５には、ローラ式のガイド体１６を設けている。ローラ２０は、下フレーム５の真下とその前後両側とに配置されているため、切断開始時から切断終了時まで複数のローラ２０が発泡樹脂ワーク１の上面に載っている。従って、切断装置３は切断の開始から終了まで安定した姿勢に保持されている。【選択図】図１
2018001300.tif 000002
【特許請求の範囲】
【請求項１】
板状又はブロック状の発泡樹脂ワークを熱線で切断する装置であって、
前記発泡樹脂ワークの外面に直接に又は間接的に重ねた状態で移動させ得る本体に、前記熱線が取付けられている、
可搬式発泡樹脂ワーク切断装置。
【請求項２】
前記本体は、水平姿勢に配置された発泡樹脂ワークの上に位置して当該発泡樹脂ワークを横切る方向に長い形態であり、この本体は、前記発泡樹脂ワークの上面に安定的に載るベース体と、前記発泡樹脂ワークを挟んだ両側に位置して下端が前記発泡樹脂ワークの上面よりも下方に位置させた一対の縦フレームとを備えており、
前記一対の縦フレームは高さ調節可能であり、その下端間に、前記熱線が水平姿勢で張られている、
請求項１に記載した可搬式発泡樹脂ワーク切断装置。
【請求項３】
前記本体は、水平姿勢に配置された発泡樹脂ワークの上面に沿って水平動可能であり、前記本体に、熱線が鉛直姿勢で取付けられている、
請求項１に記載した可搬式発泡樹脂ワーク切断装置。
【請求項４】
現場に基準面からはみ出た状態で組み込まれている発泡樹脂ワークの前記はみ出た部分を熱線で切除する装置であって、
前記現場の基準面に重ねて移動させ得るベース体を備えており、前記ベース体に、前記発泡樹脂ワークのうち基準面からはみ出た部分を切除する熱線を取り付けている、
可搬式発泡樹脂ワーク切断装置。
【請求項５】
板状又はブロック状の発泡樹脂ワークを熱線で切断する装置であって、
寝かせた状態の前記発泡樹脂ワークの上面に載る本体に、熱線支持体が少なくとも水平方向に移動可能に取付けられており、前記熱線支持体に、前記熱線が鉛直姿勢で取付けられている、
可搬式発泡樹脂ワーク切断装置。
【発明の詳細な説明】
【技術分野】
【０００１】
本願発明は、発泡スチロールのような発泡樹脂ワークを切断する可搬式（手動式）の切断装置に関するものであり、建築現場のような施工現場において使用したり、工場で使用したりするのに好適なものである。
【背景技術】
【０００２】
発泡スチロールのような発泡樹脂品は様々な分野で使用されているが、建築工事で断熱材として使用したり、土木工事で基礎面の嵩上げ部材として使用したりする場合、現場の状態に合わせて切断せねばならないことが多い。
【０００３】
そこで、工事現場で発泡樹脂ワークを切断する手持ち式の熱線カッターが提案されており、その例として特許文献１には、グリップを有するコ字形のフレームの先端に熱線を張ったものが開示されている。
【先行技術文献】
【特許文献】
【０００４】
【特許文献１】実開昭６２−１３０９００号のマイクロフィルム
【発明の概要】
【発明が解決しようとする課題】
【０００５】
発泡樹脂ワークは熱に弱いため、特許文献１のような熱線式のカッターを使用するとシャープに切断できるが、特許文献１を初めとした従来の手持ち式のカッターは、人が手で持って動かすことで切断するに過ぎないため、真っ直ぐに切断しようとしても曲がってしまったり、切断面が表面に対して傾斜してしまったりして、高い精度で切断するのが困難であるという問題があった。
【０００６】
また、発泡樹脂ワークの形状は用途によってまちまちであり、建築現場では断熱材として板状のパネルが多用されているが、土木現場では、地面の嵩上げ用としてブロック状のものが多用されている。そして、例えば、ブロック状の発泡樹脂ワークの厚さを所望の寸法に設定するために、発泡樹脂ワークをスライスするようにしてカットしたい場合があるが、特許文献１のような手持ち式のものでは対応できないため、スライスする場合はノコギリでカットしており、このため、寸法精度及び見た目とも非常に悪いという問題があった。
【０００７】
本願発明はこのような現状に鑑み成されたものであり、発泡樹脂ワークを手作業でも高い精度でカットできる切断装置を提供することを目的とするものである。
【課題を解決するための手段】
【０００８】
本願発明は様々な構成を含んでおり、その例を各請求項に示している。このうち請求項１の発明は、板状又はブロック状の発泡樹脂ワークを熱線で切断する装置において、前記発泡樹脂ワークの外面に直接に又は間接的に重ねた状態で移動させ得る本体に、前記熱線が取付けられている。
【０００９】
請求項２の発明は、請求項１の展開例であり、この発明では、
前記本体は、水平姿勢に配置された発泡樹脂ワークの上に位置して当該発泡樹脂ワークを横切る方向に長い形態であり、この本体は、前記発泡樹脂ワークの上面に安定的に載るベース体と、前記発泡樹脂ワークを挟んだ両側に位置して下端が前記発泡樹脂ワークの上面よりも下方に位置させた一対の縦フレームとを備えており、前記一対の縦フレームは高さ調節可能であり、その下端間に、前記熱線が水平姿勢で張られている。
【００１０】
請求項３の発明も請求項１の展開例であり、この発明では、
前記本体は、水平姿勢に配置された発泡樹脂ワークの上面に沿って水平動可能であり、前記本体に、熱線が鉛直姿勢で取付けられている。
【００１１】
請求項４の発明は、現場に基準面からはみ出た状態で組み込まれている発泡樹脂ワークの前記はみ出た部分を熱線で切除する装置であり、この切断装置は、前記現場の基準面に重ねて移動させ得るベース体を備えており、前記ベース体に、前記発泡樹脂ワークのうち基準面からはみ出た部分を切除する熱線を取り付けている。
【００１２】
請求項５の発明は、板状又はブロック状の発泡樹脂ワークを熱線で切断する装置であり、この切断装置は、寝かせた状態の前記発泡樹脂ワークの上面に載る本体に、熱線支持体が少なくとも水平方向に移動可能に取付けられており、前記熱線支持体に、前記熱線が鉛直姿勢で取付けられている。
【発明の効果】
【００１３】
請求項１の発明では、ベース体は発泡樹脂ワークの表面（一面又は交叉した複数面）に重ねた状態で移動させると、熱線がベース体と一緒に移動して、発泡樹脂ワークが切断される。つまり、発泡樹脂ワークの外面がガイド部材となって、切断面は発泡樹脂ワークの外面と平行になるのであり、このため、手動式の切断装置でありながら、切断面を平坦にして高い精度で切断できる。
【００１４】
そして、発泡樹脂ワークをテーブルの上に載せて移動させるのではなく、発泡樹脂ワークは移動させずに発泡樹脂ワーク切断装置を移動させるものであるため、例えばブロック状の発泡樹脂ワークをスライスするような切断装置であっても、発泡樹脂ワークよりも遥かに小さいコンパクトな仕様とすることができる。従って、軽くて機動性に優れている。
【００１５】
請求項１の発明は、現場に施工された後の発泡樹脂ワークの切断にも使用できるが、この種の手動式の切断装置は、通常は、現場に組み付けてしまう前に、現場で又は工場で不要部分を事前にカットする作業に使用することが多いといえる。そして、板状やブロック状の発泡樹脂ワークは、テーブルや台などに寝かせた状態で切断されることになるが、請求項２の切断装置は、このように寝かせた状態の発泡樹脂ワークの上に載せて使用するものであり、熱線はベース体と一緒に水平移動するため、ブロック状等の発泡樹脂ワークをスライス状等にカットして所望の厚さに設定する場合に好適である。
【００１６】
この場合、ベース体は発泡樹脂ワークの上に載っているので、ベース体は切断された部分にも載り得るが、熱線はごく細いことから、発泡樹脂ワークを切断したことによって上面に傾斜が生じることは事実上は無く、発泡樹脂ワークの上面は平坦面のままに保持されている。従って、切断に伴ってベース体が傾いたり沈んだりすることは無くて、高い寸法精度を確保できる。この点、本願発明の大きな利点の一つである。
【００１７】
請求項３の発明では、熱線は鉛直姿勢になっているため、ベース体を水平移動させることにより、発泡樹脂ワークの一側部をカット（除去）することができる。すなわち、切断面は鉛直姿勢になって、カットされた不要部分は水平方向に分離する。従って、板状の発泡樹脂ワークの巾や長さを調節する場合に好適である。
【００１８】
請求項３においても、切断装置を発泡樹脂ワークの一側面に当てて移動させることが可能であり、この場合は、発泡樹脂ワークの一側面をガイドに兼用して、高い寸法精度で切断することができる。請求項３の場合、熱線支持体をベース体の移動方向と交叉した方向に移動させることも可能であり、ベース体の移動と熱線支持体の移動とを組み合わせることにより、非直線形状にカットすることが可能になる。
【００１９】
発泡樹脂ワークを建物の基礎（縦基礎）の断熱材として使用した場合などのように、発泡樹脂ワークを建物等の一部として施工した後において、発泡樹脂ワークの不要な部分を切除したいという要望も存在する。この場合、請求項２，３を採用して不要部分を除去することも可能であるが、請求項４のように、ベース体を、発泡樹脂ワークの近傍の施工面上を移動する構成とすることも可能であり、これにより、建物等として組み込まれた発泡樹脂ワークを高い寸法精度で切断できる。ベース体を発泡樹脂ワークに載せて移動させることができない場合に、特に重宝である。
【００２０】
請求項５の発明では、ベース体は発泡樹脂ワークの上面に押さえておくなどして、移動しないように保持しておいて、熱線支持体を移動させることによって、発泡樹脂ワークを所望の状態に切断できる。例えば、熱線支持体を水平旋回させると、発泡樹脂ワークに穴を空けることができる。従って、複雑な切断であっても高い寸法精度で実現可能になる。本願発明の切断装置は、他にも様々な使い方を選択可能であり、ユーザーの要望に応えることができる。
【図面の簡単な説明】
【００２１】
【図１】第１実施形態の概略斜視図である。
【図２】第１実施形態の要部の分離斜視図である。
【図３】第１実施形態の部分正面図である。
【図４】（Ａ）は図３の IVA-IVA視断面図、（Ｂ）は切断開始時点での側面図、（Ｃ）は切断終了時点での側面図である。
【図５】第２実施形態の分離斜視図である。
【図６】第２実施形態を示す図で、（Ａ）は部分正面図、（Ｂ）は（Ａ）のＢ−Ｂ視断面図である。
【図７】第３実施形態を示す図で、（Ａ）は市販品であるハンドカッターの斜視図、（Ｂ）は切断現場の斜視図である。
【図８】（Ａ）は第３実施形態の正面図、（Ｂ）は（Ａ）のＢ−Ｂ視断面図、（Ｃ）は（Ｂ）のＣ−Ｃ視断面図である。
【図９】図８（Ａ）のIX-IX 視断面図である。
【図１０】第４実施形態の部分正面図である。
【図１１】（Ａ）は第４実施形態の斜視図、（Ｂ）〜（Ｅ）は切断例を示す平面図である。
【図１２】（Ａ）は第５実施形態の斜視図、（Ｂ）〜（Ｄ）は切断例を示す平面図である。
【図１３】第６実施形態の斜視図である。
【発明を実施するための形態】
【００２２】
(1).第１実施形態の構造
次に、本願発明の実施形態を説明する。本実施形態は、請求項１，２に対応している。まず、図１〜４に示す第１実施形態を説明する。第１実施形態は、ブロック状の発泡樹脂ワーク１をスライスするように切断するための装置であり、発泡樹脂ワーク１は、施工現場に配置した台（テーブル）２の上に載せられている。発泡樹脂ワーク１は、各面がフラットで隣り合った面は直交した直方体に成形されている。以下では、方向を特定するため、便宜的に、発泡樹脂ワーク１の長手方向を前後方向と呼んで、巾方向を左右方向と呼ぶこととする。
【００２３】
切断装置３は、本体部を構成するフレーム構造体を備えている。フレーム構造体４は、発泡樹脂ワーク１を横切るように延びる左右長手の下フレーム５と、下フレーム５の左右両端に固定した一対の縦フレーム６と、一対の縦フレーム６の上端間を繋ぐ左右長手の上フレーム（補強フレーム）７とが構成されている。各フレーム５〜７はアルミの押し出し品を使用しており、基本的に中空角形であるが、４面には、その全長に亙って延びる溝８が形成されている。隣り合ったフレームは、ねじ止め方式のブラケット９で固定されている。
【００２４】
上フレーム７は縦フレーム６の左右外側にはみ出ており、このはみ出し部７ａを人が手で摘むハンドル部と成している。また、縦フレーム６は発泡樹脂ワーク１の左右外側に位置しており、縦フレーム６を熱線支持体と成している。すなわち、縦フレーム６の下端間に、通電によって発熱する細い熱線（ニクロム線）１０を張っている。従って、熱線１０は、上下フレーム５，７及び発泡樹脂ワーク１の上面と平行になっている。両縦フレーム６の下端には、樹脂製又は碍子製の熱線ホルダー１１を装着しており、熱線１０は、両ホルダー１１によってテンションを掛けた状態に張られている。
【００２５】
熱線１０の一端には通電用のケーブル１２が接続されており、ケーブル１２は、トランス等が組み込まれた制御装置１３に接続されている。制御装置１３には外部から電力が供給される。ケーブル１２のうち熱線１０に接続された端部は、縦フレーム６の内部に挿通している。このため、ケーブル１２は作業の邪魔になりにくい。
【００２６】
縦フレーム６は、下フレーム５にブラケット９を介して固定されているが、図２に示すように、縦フレーム６のうち内側に向いた溝８の箇所の底部を切除して長穴１４と成して、縦フレーム６の内部に挿通した角形ナット（図示せず）に、下部のブラケット９を固定するためのビス１５をねじ込んでいる。従って、下フレーム５の高さを任意に調節できる。
【００２７】
下フレーム５には、縦フレーム６を鉛直姿勢に保持するため、左右一対のガイド体１６を取付けている。ガイド体１６は、下フレーム５を挟んだ前後両側に延びる正面視逆Ｌ形のバー部材１７を有しており、バー部材１７は、下フレーム５に外側から嵌め込んだ中空角形ホルダ１８の下面に、ビス１９で固定されている。また、バー部材１７の垂直片に、前後３個のローラ（コロ）２０を、左右長手の軸心回りに回転するように取り付けている。
【００２８】
３個のローラ２０のうち中間部のものは、下フレーム５の真下で熱線１０の真上に位置しており、前後のローラ２０は、下フレーム５を挟んだ前後対称位置に配置されている。角形ホルダ１８は摘み付きビス２１で下フレーム５に固定されている。従って、ビス２１を緩めると、ガイド体１６を左右方向の任意の位置に調節できる。
【００２９】
なお、下フレーム５と縦フレーム６と上フレーム７とによって固定式のフレーム構造体を構成して、左右の縦フレーム６の内部に、熱線支持体となるスライドフレームを高さ調節可能に挿通し、スライドフレームの下端間に熱線１０を張ることも可能である。この場合、フレーム構造体は形状が常に保持されているため、熱線の高さ調節を行いやすい。左右のスライドフレームの上端間をステーで連結して、左右のスライドフレームを同期して高さ調節できるようにしておくと、更に好適である。
【００３０】
(2).第１実施形態の使用方法
以上の構成において、ローラ２０の群を発泡樹脂ワーク１の上面に当てて、熱線１０に通電してから、切断装置を前後方向に移動させることにより、発泡樹脂ワーク１をスライス状に切断することができる。切断する厚さｔは、縦フレーム６の高さを調節することによって、正確に設定できる。
【００３１】
本実施形態の切断装置は、発泡樹脂ワーク１を挟んだ左右両側に立った２人で操作される。すなわち、発泡樹脂ワーク１を挟んで両側に立った人が、それぞれ縦フレーム６の下部と上フレーム７の端部とを手で持って、ローラ２０を発泡樹脂ワーク１の上面に当てて前後方向にゆっくりと移動させていくことにより、発泡樹脂ワーク１をスライス状に切断できる。
【００３２】
そして、下フレーム５の真下にもローラ２０を配置しているので、図４（Ｂ）に示すように、切断開始当初から２つのローラ２０は発泡樹脂ワーク１の上面に載っており、また、切断終了時にも、２つのローラ２０が発泡樹脂ワーク１の上面に載っている。従って、切断開始から切断終了まで、縦フレーム６は直立した姿勢で所定の高さに保持されており、その結果、発泡樹脂ワーク１の切断寸法ｔを、全長に亙って一定に保持することができる。
【００３３】
図４（Ａ）に明示するように、３つのローラ２０のうち後ろのローラ２０は切断された部分の上に載っているが、熱線１０は、直径がせいぜい１ｍｍ程度かそれ以下で非常に細いため、発泡樹脂ワーク１を切断しても、切断された部分が傾斜することはなくて、縦フレーム６は切断工程の全体で直立姿勢に保持されている。従って、切断面は、成形面である上面と平行な平坦な状態になって、非常に高い寸法精度を得ることができる。
【００３４】
ガイド手段としては、ローラ２０に代えて摩擦係数が小さい樹脂製のスライダーを使用することも可能であるが、実施形態のようにローラ２０を使用すると、切断装置３の移動をスムースに行える利点がある。ローラ２０を使用する場合、下フレーム５を挟んだ前後両側に２個ずつ配置してもよいのであり、この場合は、切断の開始時と終了時との安定性を一層向上できる。
【００３５】
各フレーム５，６，７は必ずしも角形である必要はないのであり、丸パイプやチャンネル材を使用することも可能である。縦フレーム６に目盛りを設ける一方、下フレーム５に横向き三角形等の指標を設けて、熱線１０の高さを位置を目盛りで表示することも可能である。
【００３６】
(3).第２実施形態
次に、図５，６に示す第２実施形態を説明する。この実施形態も、請求項１，２を具体化したものである。
【００３７】
この実施形態の切断装置３も、ブロック状の発泡樹脂ワーク１をスライス状に切断するためのものであり、本体は、発泡樹脂ワーク１を横切る方向に延びる左右長手のメインフレーム２３を有しており、メインフレーム２３の左右両端に鉛直姿勢で角形のガイド筒２４を固定し、左右のガイド筒２４に、それぞれ中空角形のスライドフレーム２５を上下スライド自在に装着している。スライドフレーム２５は熱線支持体となるもので、左右縦フレーム６の下端間に熱線１０を張設している。
【００３８】
図では表示していないが、左右の縦フレーム６の上端は、左右長手のステーで連結されている。一点鎖線で示すように、左右のガイド筒２４の上端間を補強フレーム２６で連結することも可能である。
【００３９】
ガイド筒２４には、熱線支持体２５を固定する止めボルト（蝶ボルト）２７を設けている。また、ガイド筒２４の外面板に上下長手の長穴２８を形成して、この長穴２８を挟んだ片方の部位の外面に目盛り２９を刻設する一方、熱線支持体２５には、長穴２８に位置した指標３０を設けている。
【００４０】
更に、この実施形態では、切断装置３を安定した姿勢で移動させるガイド手段として、発泡樹脂ワーク１の上面と長手側面とに重なるＬ形のガイド体３１を使用している。ガイド体３１の上面には左右長手のスライダ３２を固定している一方、メインフレーム２３は下向きに開口したコ字形に形成されており、スライダ３２をメンイフレーム２３の内部に下方から嵌め入れて、蝶ボルト（摘み付きねじ）３３によって、メインフレーム２３とスライダー３１とを固定している。
【００４１】
この場合は、メインフレーム２３のボルト挿通穴３４を左右長手の長穴とすることにより、ガイド体３１の左右位置を任意に調節できるようにしている。また、ガイド体３１はメインフレーム２３を挟んだ前後両側に延びているが、ガイド体３１のうち、発泡樹脂ワーク１の一側面に重なる垂直片には、熱線１０の真上に位置した下向き開口の逃がし溝３５を形成することにより、熱線１０が発泡樹脂ワーク１の表面まで到達できるようにしている。ガイド体３１の内面には、ＰＯＭ樹脂のように摩擦係数が小さな樹脂からなるスライド補助体３５を固定している。
【００４２】
この実施形態では、左右のガイド体３１を発泡樹脂ワーク１の左右側面に軽く重なるように位置決めすることにより、切断装置３を安定した姿勢で移動させることができる。また、この実施形態では、発泡樹脂ワーク１の片側に立った人が、一方の手でガイド体３１を押さえて、他方の手でメインフレーム２３又は補強フレーム２６を掴み、その状態で切断装置３を押して移動させることができるため、巾が１ｍ程度の発泡樹脂ワーク１なら、一人でも切断作業を行うことが可能である。メインフレーム２３の左右中間部に人が手で持つハンドルを設けると、安定して押し移動させることができるため、好適である。
【００４３】
左右の熱線支持体２５の上端は左右長手のステーで連結されているが、図５に示すように、ステーにねじ込んだボルト３６の先端を補強フレーム２６の上端部に回転可能で抜け不能に係合させるか、又は、ボルト３６をステーに回転自在で抜け不能に取付けて、補強フレーム２６に対してねじ込むかとすると、ボルト３６の回転によって熱線１０の高さを微調整することができる。ボルト３６を左右中間部に配置すると、ボルト３６の回転操作で左右のスライドフレーム２５を一緒に上下動させることができる。
【００４４】
(4).第３実施形態
次に、図７〜９に示す第３実施形態を説明する。この実施形態は、請求項４を具体化したものである。この実施形態では、図７（Ａ）に示すハンディタイプのカッター３７が使用される。このカッター３７は、Ｕ形のフレーム３８の先端間に熱線１０を張っており、基端部にはハンドル３９を設けている。
【００４５】
図７（Ｂ）では、表裏両面に発泡樹脂製断熱パネル４０が張られたコンクリート製縦基礎４１を表示しており、縦基礎４１は、断熱パネル４０を残存型枠（捨て型枠）として施工されている。そして、断熱パネル４０が発泡樹脂ワークに相当して、縦基礎４１の上面が基準面になるが、断熱パネル４０の上端部が縦基礎４１の上に露出しているため、断熱パネル４０の上面が縦基礎４１の上面（基準面）と同一面を成すように、断熱パネル４０の上部をカットする必要がある。本実施形態は、カッター３７を使用して断熱パネル４０の上部をカットすることに使用される。
【００４６】
本実施形態の切断装置３は、図８，９に示すように、縦基礎４１の上面に載せて移動させ得る本体４２を有しており、本体４２に設けた支柱４３に左右横長の筒体４４を固定し、筒体４４に挿通した左右長手のロッド４５にカッター３７を固定している。ロッド４５の両端には、カッター３７におけるフレーム３９の下向き部が重なる受け板４６を固定しており、受け板４６に、カッター３７のフレーム３８をねじ止め式のクランプ体４７で押さえ固定している。
【００４７】
クランプ体４７は、ビス４８をナット４９にねじ込むことで固定されているが、ビス挿通穴を長穴５０に形成すると共に、ナット４９を長穴５０に回転不能に嵌め込むことにより、クランプ体４７の左右位置を調節できるようになっている。従って、大きさの異なる複数種類のカッター３７に対応できる。
【００４８】
筒体４４とロッド４５とは相対的に摺動可能及び相対回転可能であるが、使用時には、摘み付きビス５１によって固定されている。本体４２は、前後長手で下向きに開口したコ字形の形態であり、本体４２の左右両側部にローラ５２を複数個ずつ取付けている。
【００４９】
この実施形態では、熱線１０が縦基礎４１の上面に位置するようにカッター３７の高さを調節してから、切断装置３を縦基礎４１の上面に沿って移動させることにより、断熱パネル４０のはみ出し部を切除できる。図８に一点鎖線で示すように、ローラ５２が断熱パネル４０の上面を走行する構成とすることも可能であり、この場合は、請求項１，２の実施形態になる。
【００５０】
縦基礎４１にアンカーボルトを立設している場合は、図８の一点鎖線のように、断熱パネル４０の上面に沿って移動させるのが好適であると云える（いずれにしても、アンカーボルトの箇所では、切断装置３の移動を停止させて、アンカーボルトから逃げた状態で熱線１０を配置し直すことになる。
【００５１】
(5).第４実施形態
図１０〜１１では、第４実施形態を示している。この実施形態は、請求項３を具体化したものである。この実施形態では、図１０に示すように、発泡樹脂ワーク１は、その一側部をオーバーハングさせた状態で台２に載せられており、切断装置３は発泡樹脂ワーク１の上に載せられている。
【００５２】
切断装置３は、図１１（Ａ）に示すように、発泡樹脂ワーク１の上に載置するベース体５４を有する。ベース体５４の一側部には上向き開口Ｃ字形のガイドレール５５が固定されており、ガイドレール５５に、樹脂製等の移動体５６をスライド自在に装着している。
【００５３】
移動体５６に支柱５７が立設されており、支柱５７に、水平状のアーム５８を高さ調節可能に取付けて、アーム５８の先端に、カッター５９が高さ調節可能に固定されている。カッター５９は、正面視コ字形のフレーム６０と上下長手のハンドル６１とを有しており、熱線１０は、ハンドル６１の軸心とフレーム６０の先端とに張られている。アーム５８の先端には、上下に開口した筒状のホルダー６２を固定しており、カッター５９のハンドル６１がホルダー６２に挿通されてビス６３で固定されている。アーム５８はガイド筒６４を介して支柱５７に昇降可能に装着されており、ボルト６５で任意の高さ位置に固定できる。
【００５４】
この実施形態では、移動体５６と支柱５７とアーム５８とで本体が構成されており、移動体５６を移動させることにより、発泡樹脂ワーク１を熱線１０で切断できる。移動体５６を発泡樹脂ワーク１の一側面と平行に移動させると、発泡樹脂ワーク１の巾や長さを詰めることができる。
【００５５】
ベース体５４を動かすことも可能であり、移動体５６のＸ方向の移動と、ベース体５４のＹ方向の移動とを組み合わせることにより、（Ｂ）〜（Ｄ）のような様々の形状の切断を実現できる。（Ｄ）では、発泡樹脂ワーク１に角形の穴を空けている。ベース体５４を斜めに配置すると、（Ｅ）に示すように発泡樹脂ワーク１のコーナー部をカットできる。図１１（Ａ）に点線で示すように、アーム５８をテレスコープ式にするなどして、カッター５９を支柱５７に対して遠近移動させる構成も採用可能であり、この場合は、移動体５６のＸ方向の移動は、カッター５９のＹ方向の移動との組み合わせにより、（Ｂ）〜（Ｄ）のような形態の切断を実現できる。
【００５６】
(6).第５実施形態
図１２では、第５実施形態を示している。この実施形態は、請求項５の具体例でもあるし、請求項１，３の具体例でもある。
【００５７】
この実施形態では、発泡樹脂ワーク１は、その一側部を台２の外側にはみ出した状態で配置されている。そして、切断装置３のベース体５４は、発泡樹脂ワーク１の上に載るようになっており、発泡樹脂ワーク１の一側面１ａに重なる下向き片５４ａを設けている。従って、ベース体５４は、発泡樹脂ワーク１の一側面１ａに沿って移動させることができる。ベース体５４の内面には、樹脂製のスライド補助体６７を設けている。
【００５８】
ベース体５４は、かなり大きな左右巾を有しており、ベース体５４のうち前後中間でかつ内側に寄った部位に支柱６８を立設して、支柱６８の上端に設けた水平姿勢のガイド筒６９にアーム７０をスライド自在に嵌め込み装着して、アーム７０の先端に、図１１と同様のカッター５９を取付けている。ガイド筒６９には摘み付きビス７１を設けており、ビス７１を緩めると、カッター５９を左右移動させることができる。ガイド筒６９やアーム７０は角形になっているが、丸パイプなども採用できる。ベース体５４の前後中間部には、熱線１０の左右移動を許容するためのスリット７２を形成している。
【００５９】
この実施形態では、切断装置３は、発泡樹脂ワーク１の一側面１ａをガイド面として移動させることができる。発泡樹脂ワーク１の一側部を全体的に切除する場合は、熱線１０が発泡樹脂ワーク１を抜けるのと同時に、発泡樹脂ワーク１のうち切除された部分は下方に落下する。従って、切断装置３は、切断が終了しても発泡樹脂ワーク１の上に残るように、重心を発泡樹脂ワーク１の残り部に位置するように設定しておく必要がある（台２に、熱線１０の移動を許容するスリットを形成しておくと、発泡樹脂ワーク１を切断しても、切断された部分は落下しないので、高い安定性を確保できる。）。
【００６０】
この実施形態では、ベース体５４を発泡樹脂ワーク１の一側面１ａに沿って一方向に移動させただけであると、（Ａ）に示すように、発泡樹脂ワーク１の一側部が切除される。他方、ベース体５４の移動とカッター５９の移動とを組み合わせると、（Ｃ）（Ｄ）に示すような部分切除が可能になる。図１１（Ｄ）と同じ穴空けも可能である。
【００６１】
(7).第６実施形態
図１３に示す第６実施形態は、請求項５を具体化したものである。この実施形態では、ベース体５４は発泡樹脂ワーク１の上に載る板状に形成されており、その一側部に支柱６８を立設して、支柱６８に固定アーム７４を高さ調節可能に取付け、固定アーム７４の先端部に、旋回ブラケット７５を水平旋回自在に取り付けている。
【００６２】
旋回ブラケット７５は、上水平部と鉛直部とを有する逆Ｌ型になっており、上水平部がピン等によってアーム７４に水平回動自在に取付けられている一方、垂直部の下端には、水平方向に開口したホルダー筒７６を設けて、このホルダー筒７６に、支柱６８の側からスライドアーム７７を水平動可能に装着して、スライドアーム７７のうち支柱６８に寄った先端部に上下開口のホルダー７８を設けて、ホルダー７８に棒状カッター７９を固定している。
【００６３】
棒状カッター７９は、ハンドル８０にこれと同心の線材製熱線１０を設けた構造であり、ハンドル８０がホルダー７８に固定されている。熱線１０の下端は自由端になっているが、ある程度の太さがあるため、移動しながら発泡樹脂ワーク１を切断できる。
【００６４】
この実施形態では、棒状カッター７９が旋回ブラケット７５の回動軸心と同心になっている状態では、固定アーム７４を下降動させると、熱線１０と同径の穴を発泡樹脂ワーク１に空けることができる。外径が異なる熱線１０を交換できるようにしておくと、内径が異なる穴を発泡樹脂ワーク１に空けることができる。旋回ブラケット７５の旋回及びスライドアーム７７の移動は、それぞれ止めねじ８２，８３でロックできる。
【００６５】
熱線１０の外径には限度があるため、穴径がある程度以上の寸法になると、熱線１０の交換では対応できない。そこで、ある程度以上の大きさの穴を空けたい場合は、熱線１０の軸心を旋回ブラケット７５の軸心からずらしてから、固定アーム７４を下降させて熱線１０を発泡樹脂ワーク１に浸入させ、次いで、旋回ブラケット７５を水平回動させる、という手順をとったらよい。これにより、細い径の熱線１０で、大きな内径の穴を精度よく空けることができる。この場合、スライドアーム７７の側面に目盛りを設けておくと、寸法の設定が容易になるため好適である。
【００６６】
以上、本願発明の実施形態を図面と共に説明したが、本願発明は、図示した例の他にも様々に具体化できる。
【産業上の利用可能性】
【００６７】
本願発明は、発泡樹脂ワーク切断装置に具体化できる。従って、産業上利用できる。
【符号の説明】
【００６８】
１  発泡樹脂ワーク
２  台（テーブル）
３  発泡樹脂ワーク切断装置
５  本体を構成する下フレーム
６  本体を構成すると共に熱線支持体となる縦フレーム
７  本体を構成する上フレーム
１０  熱線
１６  ガイド体
１７  バー部材
２０  ローラ
２３  本体を構成するメインフレーム
２４  本体を構成するガイド筒
２５  熱線支持体となるスライドフレーム
３１  ガイド体
３７，５９，７９  カッター
４２，５４  ベース体
５７，６８  本体を構成する支柱
５８，７４  固定アーム
７０，７７  フライドアーム
７５  旋回ブラケット
【図１】
2018001300.tif 000003
【図２】
2018001300.tif 000004
【図３】
2018001300.tif 000005
【図４】
2018001300.tif 000006
【図５】
2018001300.tif 000007
【図６】
2018001300.tif 000008
【図７】
2018001300.tif 000009
【図８】
2018001300.tif 000010
【図９】
2018001300.tif 000011
【図１０】
2018001300.tif 000012
【図１１】
2018001300.tif 000013
【図１２】
2018001300.tif 000014
【図１３】
2018001300.tif 000015